(57)【要約】【課題】接続ターミナルの湿度対策の工数を低減することができることを目的とする。【解決手段】天井３に設置される装置本体１と、フロントパネル８と、接続ターミナルケース２０とを備えた浴室暖房乾燥機であって、装置本体１は、空気を吸い込む吸い込み口９と、空気を吹出する吹き出し口１２と、天井３に固定されるフランジ部６とを有し、フロントパネル８は、装置本体１の前面にフランジ部６から離間して取着され、接続ターミナルケース２０は、装置本体１の内部の上部において接続ターミナル１９を備え、接続ターミナルケース２０の底面に底面開口２２を設け、底面開口２２に蓋２４を設け、蓋２４の上面に接続ターミナル１９を設け、蓋２４は蓋開口２５を有し、接続ターミナルケース２０に固定された軸２３を蓋開口２５に通して軸２３に蓋２４を引っ掛けることにより、蓋２４は底面開口２２の下方に向けて回動する。【選択図】図４
2017181017.tif 000002
【特許請求の範囲】
【請求項１】
天井に設置される装置本体と、
フロントパネルと、
接続ターミナルケースとを備えた浴室暖房乾燥機であって、
前記装置本体は、空気を吸い込む吸い込み口と、前記空気を吹出する吹き出し口と、前記天井に固定されるフランジ部とを有し、
前記フロントパネルは、前記装置本体の前面に前記フランジ部から離間して取着され、
前記接続ターミナルケースは、前記装置本体の内部の上部において接続ターミナルを備え、
前記接続ターミナルケースの底面に底面開口を設け、
前記底面開口に蓋を設け、
前記蓋の上面に前記接続ターミナルを設け、
前記蓋は蓋開口を有し、
前記接続ターミナルケースに固定された軸を前記蓋開口に通して前記軸に前記蓋を引っ掛けることにより、前記蓋は前記底面開口の下方に向けて回動することを特徴とする浴室暖房乾燥機。
【請求項２】
前記蓋の下面に第１凸部を設け、
前記第１凸部は、前記底面開口の端面に接合するように設けられることを特徴とする請求項１に記載の浴室暖房乾燥機。
【請求項３】
前記第１凸部をコの字状に形成し、
前記底面開口の前記端面を前記コの字状の凹部に挿し込むことにより、前記第１凸部は前記底面開口の前記端面に接合することを特徴とする請求項２に記載の浴室暖房乾燥機。
【請求項４】
前記蓋に、下方にのびてＬ字状に曲がる第２凸部を設け、
前記第１凸部が前記底面開口の前記端面に接合した状態で、前記軸を固定する前記接続ターミナルケースの固定部の端部が前記第２凸部の端部に接触することを特徴とする請求項２または３に記載の浴室暖房乾燥機。
【発明の詳細な説明】
【技術分野】
【０００１】
本発明は、浴室内を暖房し乾燥する浴室暖房乾燥機に関するものである。
【背景技術】
【０００２】
従来、この種の浴室暖房乾燥機は、接続ターミナルに外部電源線を接続する構成が知られている（例えば、特許文献１参照）。
【０００３】
以下、その浴室暖房乾燥機について、例えばダクト用換気扇を例に図８を参照しながら説明する。
【０００４】
天井板１０１に設けられた取付用開口部１０２に挿入される形状で、下面を開放し、側面に排気口を形成した箱型の本体１０３と、この本体１０３の内部に設けられた送風機１０４と、この送風機１０４に入力する外部電源線１０５を接続する２つの接続部１０６、１０７を有する接続ターミナルとを有し、この２つの接続部１０６、１０７のうち、一方の接続部１０６が前記本体１０３の天面１０８に面するとともに、もう一方の接続部１０７が本体１０３内面に面するようにダクト用換気扇を構成するものが知られている。
【先行技術文献】
【特許文献】
【０００５】
【特許文献１】特許第３９２８４５０号公報
【発明の概要】
【発明が解決しようとする課題】
【０００６】
このような従来の浴室暖房乾燥機においては、接続ターミナルの湿度対策に薄肉のゴムシートやパッキン等を貼り付ける工数がかかる、という課題を有していた。
【０００７】
そこで本発明は、上記従来の課題を解決するものであり、接続ターミナルの湿度対策の工数を低減することができる浴室暖房乾燥機を提供することを目的とする。
【課題を解決するための手段】
【０００８】
そして、この目的を達成するために、本発明の一態様に係る浴室暖房乾燥機は、天井に設置される装置本体と、フロントパネルと、接続ターミナルケースとを備えた浴室暖房乾燥機であって、前記装置本体は、空気を吸い込む吸い込み口と、前記空気を吹出する吹き出し口と、前記天井に固定されるフランジ部とを有し、前記フロントパネルは、前記装置本体の前面に前記フランジ部から離間して取着され、前記接続ターミナルケースは、前記装置本体の内部の上部において接続ターミナルを備え、前記接続ターミナルケースの底面に底面開口を設け、前記底面開口に蓋を設け、前記蓋の上面に前記接続ターミナルを設け、前記蓋は蓋開口を有し、前記接続ターミナルケースに固定された軸を前記蓋開口に通して前記軸に前記蓋を引っ掛けることにより、前記蓋は前記底面開口の下方に向けて回動することとしたものであり、これにより所期の目的を達成するものである。
【発明の効果】
【０００９】
本発明によれば、接続ターミナルの湿度対策の工数を低減することができる。
【図面の簡単な説明】
【００１０】
【図１】本発明の実施の形態１の浴室暖房乾燥機の設置時の状態を示す側断面図
【図２】同浴室暖房乾燥機の接続ターミナルを備えた蓋を示す斜視図
【図３】同浴室暖房乾燥機の接続ターミナルを備えた蓋と接続ターミナルケースの底面開口との接合を示す拡大側断面図
【図４】蓋と接続ターミナルケースを示す拡大図（（ａ）は側断面図、（ｂ）は斜視図）
【図５】蓋と接続ターミナルケースを示す拡大図（（ａ）は側断面図、（ｂ）は斜視図）
【図６】蓋と接続ターミナルケースを示す拡大図（（ａ）は側断面図、（ｂ）は斜視図）
【図７】蓋と接続ターミナルケースを示す拡大図（（ａ）は側断面図、（ｂ）は斜視図）
【図８】従来のダクト用換気扇の設置時の状態を示す側断面図
【発明を実施するための形態】
【００１１】
本発明の一態様に係る浴室暖房乾燥機は、天井に設置される装置本体と、フロントパネルと、接続ターミナルケースとを備えた浴室暖房乾燥機であって、前記装置本体は、空気を吸い込む吸い込み口と、前記空気を吹出する吹き出し口と、前記天井に固定されるフランジ部とを有し、前記フロントパネルは、前記装置本体の前面に前記フランジ部から離間して取着され、前記接続ターミナルケースは、前記装置本体の内部の上部において接続ターミナルを備え、前記接続ターミナルケースの底面に底面開口を設け、前記底面開口に蓋を設け、前記蓋の上面に前記接続ターミナルを設け、前記蓋は蓋開口を有し、前記接続ターミナルケースに固定された軸を前記蓋開口に通して前記軸に前記蓋を引っ掛けることにより、前記蓋は前記底面開口の下方に向けて回動する、という構成を有する。
【００１２】
これにより、蓋を下方に回動させ電源線を接続ターミナルに接続して上方へ回動させて固定することとなるので、接続ターミナルの湿度対策の工数を低減することができる、という効果を奏する。
【００１３】
また、前記蓋の下面に第１凸部を設け、前記第１凸部は、前記底面開口の端面に接合するように設けられる、という構成にしてもよい。
【００１４】
これにより、第１凸部を摘み下方や上方へ回動させ、接合するところへの湿度の浸入を制限することとなるので、接続ターミナルの湿度対策を向上することができる。
【００１５】
また、前記第１凸部をコの字状に形成し、前記底面開口の前記端面を前記コの字状の凹部に挿し込むことにより、前記第１凸部は前記底面開口の前記端面に接合する、という構成にしてもよい。
【００１６】
これにより、接合するところへの湿度の浸入をさらに制限することとなるので、接続ターミナルの湿度対策をさらに向上することができる。
【００１７】
また、前記蓋に、下方にのびてＬ字状に曲がる第２凸部を設け、前記第１凸部が前記底面開口の前記端面に接合した状態で、前記軸を固定する前記接続ターミナルケースの固定部の端部が前記第２凸部の端部に接触する、という構成にしてもよい。
【００１８】
これにより、蓋開口を通って接続ターミナルに入る湿気を抑制できる。
【００１９】
以下、本発明の実施の形態について図面を参照しながら説明する。
【００２０】
（実施の形態１）
図１に示すように、浴室２の天井３には例えば長方形状の開口４が設けられている。浴室暖房乾燥機は、装置本体１を開口４に浴室２側から天井裏５に持ち上げて、浴室２側の底面にフランジ部６を天井３に接触させ浴室２側からフランジ部６の四隅とその間にネジ（図示せず）を介して固定する。
【００２１】
そして、装置本体１の浴室２側である前面７にフランジ部６からある程度例えば５ｃｍ程度離間してフロントパネル８を取着する。そして、装置本体１には、フランジ部６とフロントパネル８との間に吸い込み口９としての隙間が全周に設けられている。そして、天井裏５側には、浴室２の空気を吸い込む遠心型のファン１０を回転駆動する例えばコストの安いＡＣ型のファンモーター１１を取り付ける。そして、ファン１０で吸い込まれた前記空気は装置本体１の内部１３に設けた例えば安全性の高いＰＴＣヒーターであるヒーター１５を覆う本体ケース１６内で温めて温風とさせる。そして、ヒーター１５より浴室２側である下流側に固定グリル１７が配設され、その下方である浴室２側に固定グリル１７を通過した浴室２の空気が吹出する吹き出し口１２を設ける。そして、吹き出し口１２の短辺側の片側面には回転の細かい制御ができるステッピングモーターであるルーバーモーター（図示せず）を設ける。そして、ルーバーモーターのシャフト（図示せず）に回動可能に支持された板状の可動ルーバー１８を備える。そして、ファンモーター１１とヒーター１５とルーバーモーターとを駆動させる制御部（図示せず）は、湿気の少ない装置本体１の内部１３の上方１４に備えている。そして、装置本体１の内部１３の上方１４に制御部を備えた制御部ケース（図示せず）と外部電源から電力を制御部へ供給するＶＶＦ（図示せず）を接続する接続ターミナル１９を備えた接続ターミナルケース２０とを備える。
【００２２】
図２、図３、および図４に示すように、接続ターミナルケース２０の底面２１に底面開口２２が設けられる。蓋２４に設けた開口である蓋開口２５を介して、ネジである軸２３に蓋２４を取り付ける。このとき、接続ターミナル１９は、蓋２４の上面２６にネジ３３を介して固定するように設けられる。蓋２４を底面開口２２に対して下方、すなわち浴室２側に向けてネジ３３の上下方向に回動する。
【００２３】
この構成により、蓋２４は、軸２３を介して蓋開口２５に沿って下方に回動させ、電源線であるＶＶＦを接続ターミナル１９に差し込んで接続した後、上部の湿度の低い天井裏５側へ回動させて固定することとなるので、接続ターミナル１９の湿度対策の工数を低減することができる。
【００２４】
更に、また、蓋２４の下面２７において、下方へのびる第１凸部２９を設ける。第１凸部２９を、図１に示す可動ルーバー１８の回動軸３０方向から見てコの字状３１に形成し、コの字状３１の凹部３２を底面開口２２の端面２８へ挟み接合するように蓋２４に設ける。
【００２５】
これにより、ＶＶＦを接続ターミナルに接続する時は、第１凸部２９を摘み、第１凸部２９を軸２３の方向にスライドさせ（図５）、接続ターミナルケース２０に固定された軸２３を支点として、例えば蓋２４の側面および上面に開口が繋がって設けている蓋開口２５に沿って下方へ回動させて（図６）、ＶＶＦを接続ターミナルに差し込んで接続する。そして、第１凸部２９を再度摘み、第１凸部２９を軸２３を支点として蓋開口２５に沿って上方へ回動させ（図５）、軸２３と反対方向にスライドさせて（図４）、コの字状３１の凹部３２を底面開口２２の端部へ挟み接合させる。これにより、接合するところがラビリンス構造による湿度の浸入を制限することとなり、接続ターミナル１９の湿度対策を向上することができる。
【００２６】
なお、蓋２４は、図７に示す範囲まで回動することも可能である。図７において蓋開口２５の端部が軸２３に引っ掛かることにより、蓋２４は、接続ターミナルケース２０に保持された状態を保っている。
【００２７】
また、図２に示すように、蓋２４には、下方にのびてＬ字状に曲がる第２凸部３９を設けてもよい。この場合、図３の状態で、軸２３を固定する接続ターミナルケース２０の固定部２０ａの端部が第２凸部３９の端部に接触することが好ましい。固定部２０ａの端部が第２凸部３９の端部に接触していない場合は、非接触部分の隙間から湿気が入り、その湿気は、蓋開口２５を通って接続ターミナル１９に入ることがある。しかし、固定部２０ａの端部が第２凸部３９の端部に接触することで、蓋開口２５を通って接続ターミナル１９に入る湿気を抑制できる。
【産業上の利用可能性】
【００２８】
本発明にかかる浴室暖房乾燥機は、接続ターミナルの湿度対策の工数を低減することができることを可能とするものであるので、ミスト発生装置等としても有用である。
【符号の説明】
【００２９】
１    装置本体
２    浴室
３    天井
４    開口
５    天井裏
６    フランジ部
７    前面
８    フロントパネル
９    吸い込み口
１０    ファン
１１    ファンモーター
１２    吹き出し口
１３    内部
１４    上方
１５    ヒーター
１６    本体ケース
１７    固定グリル
１８    可動ルーバー
１９    接続ターミナル
２０    接続ターミナルケース
２０ａ    固定部
２１    底面
２２    底面開口
２３    軸
２４    蓋
２５    蓋開口
２６    上面
２７    下面
２８    端面
２９    第１凸部
３０    回動軸
３１    コの字状
３２    凹部
３３    ネジ
３９    第２凸部
【図１】
2017181017.tif 000003
【図２】
2017181017.tif 000004
【図３】
2017181017.tif 000005
【図４】
2017181017.tif 000006
【図５】
2017181017.tif 000007
【図６】
2017181017.tif 000008
【図７】
2017181017.tif 000009
【図８】
2017181017.tif 000010